(57)【要約】【課題】品物を含有するための容積部を規定する本体を有するパックを提供する。【解決手段】パック１０は、本体１２と本体１２に結合されたストラップ３６，３８を有する。上昇システム４０が、パック１０のコンパートメント３５に付帯する。上昇システム４０は、コンパートメント３５の内で上下に可動であり、コンパートメント３５の内に収容可能な品物を受けるための支持部分を有して構成されたクレードル４２と、パック１０の上に配設されたユーザ把持要素４６にクレードル４２を結合する結合システム４４とを備える。把持要素４６を引っ張ることにより、クレードル４２は、コンパートメント３５における下方位置から上げ位置へと引き上げられる。クレードル４２の上昇は、コンパートメント３５に包入され得る収容品物がコンパートメント３５から突き出得るのに十分なものである。【選択図】図１２
2017000705.tif 000002
【特許請求の範囲】
【請求項１】
パックであって、
品物を含有するための容積部を規定する本体であって、高さ、幅、および深さを有する前記本体と、
前記パックのコンパートメント内に配設された上昇システムであって、（ｉ）前記コンパートメント内で上下に可動であり、前記コンパートメント内に収容可能な品物を受けるための支持部分を有して構成されたクレードル、および（ｉｉ）前記パック上に配設されたユーザ把持要素に前記クレードルを結合する結合システムを備え、それにより、前記把持要素を引っ張ることによって、前記コンパートメント内の下方位置から上げ位置へと前記クレードルが引き上げられ、前記クレードルの上昇は、前記コンパートメント内に包入され得る収容品物が前記コンパートメントから突き出得るのに十分なものである、前記上昇システムと
を備えることを特徴とするパック。
【請求項２】
請求項１に記載のパックであって、前記コンパートメントは、第１の垂直面、第２の垂直面、および底面を備え、前記第１の垂直面および前記第２の垂直面は、離間され、前記底面から上方に延在し、前記クレードルは、前記第１の垂直面に結合された第１の側部と、前記結合システムに可動的に結合された第２の側部とを有し、前記クレードルの前記品物支持部分は、前記第１の垂直面と前記第２の垂直面との間に配設されることを特徴とするパック。
【請求項３】
請求項２に記載のパックであって、前記結合システムは、前記第２の垂直面に可動的に結合されることを特徴とするパック。
【請求項４】
請求項３に記載のパックであって、他の面と共に前記コンパートメントの完全包入体を形成する開口可能頂面をさらに備えることを特徴とするパック。
【請求項５】
請求項２に記載のパックであって、前記第１の面は、前記クレードルが前記コンパートメント内を上下に移動する方向に対して直交方向に配向された壁部との接合部を有し、前記接合部は、前記コンパートメントの底部から所定の高さだけ離間されることを特徴とするパック。
【請求項６】
請求項６に記載のパックであって、前記パックは、着用パックを構成することを特徴とするパック。
【請求項７】
請求項６に記載のパックであって、前記パックの前記本体に結合された１対のショルダーストラップをさらに備えることを特徴とするパック。
【請求項８】
請求項５に記載のパックであって、前記所定の高さは、少なくとも２５．４ｍｍであることを特徴とするパック。
【請求項９】
請求項５に記載のパックであって、前記クレードルの前記支持部分は、下方位置において、前記底面の少なくとも一部分に対接して載置されることを特徴とするパック。
【請求項１０】
請求項７に記載のパックであって、前記第１の垂直面は、着用された場合に前記パックの着用者から離れる方向に向くように意図された前記パックの部分に位置することを特徴とするパック。
【請求項１１】
請求項５に記載のパックであって、前記結合システムは、１つ以上のチャネル内に配設されることを特徴とするパック。
【請求項１２】
請求項１に記載のパックであって、前記クレードルは、柔軟な材料を含むことを特徴とするパック。
【請求項１３】
請求項２に記載のパックであって、ショルダーストラップを備える１対の身体用ストラップが、垂直壁部に結合されることを特徴とするパック。
【請求項１４】
請求項４に記載のパックであって、前記開口は、前記パックの主コンパートメントのためのものであることを特徴とするパック。
【請求項１５】
請求項４に記載のパックであって、前記開口は、前記パックの２次コンパートメントのためのものであることを特徴とするパック。
【請求項１６】
請求項４に記載のパックであって、前記開口は、ラップトップまたはタブレットコンピュータを保持するように十分にサイズ設定および形状設定された前記パックのコンパートメントのためのものであることを特徴とするパック。
【請求項１７】
請求項１２に記載のパックであって、前記クレードルは、セル状発泡材料を含むことを特徴とするパック。
【請求項１８】
パックを作製する方法であって、
物品を含有するための容積部を規定する本体を用意するステップであって、前記本体は、高さ、幅、および深さ、ならびに前記本体に結合された少なくとも１つの身体用ストラップを有する、ステップと、
前記パックのコンパートメント内に配設された上昇システムを前記パックに設けるステップであって、前記上昇システムは、（ｉ）前記コンパートメント内で上下に可動であり、前記コンパートメント内に収容可能な品物を受けるための支持部分を有して構成されたクレードルと、（ｉｉ）前記パック上に配設されたユーザ把持要素に前記クレードルを結合する結合システムとを備え、それにより、前記把持要素を引っ張ることによって、前記コンパートメント内の下方位置から上げ位置へと前記クレードルが引き上げられ、前記クレードルの上昇は、前記コンパートメント内に包入され得る収容品物が前記コンパートメントから突き出得るのに十分なものである、ステップと
を含むことを特徴とする方法。
【請求項１９】
請求項１８に記載の方法であって、前記コンパートメントは、第１の垂直面、第２の垂直面、および底面を備え、前記第１の垂直面および前記第２の垂直面は、離間され、前記底面から上方に延在し、前記クレードルは、前記第１の垂直面に結合された第１の側部と、前記結合システムに可動的に結合された第２の側部とを有し、前記クレードルの前記品物支持部分は、前記第１の垂直面と前記第２の垂直面との間に配設され、前記結合システムは、前記第２の垂直面に可動的に結合され、開口可能頂面が、他の面と共に前記コンパートメントの完全包入体を形成することを特徴とする方法。
【請求項２０】
請求項１９に記載の方法であって、前記第１の側部は、前記クレードルが前記コンパートメント内を上下に移動する方向に対して直交方向に配向された壁部との接合部を有し、前記接合部は、前記コンパートメントの底部から所定の高さだけ離間されることを特徴とする方法。
【請求項２１】
請求項１に記載のパックであって、前記パックの内側面に付帯するランプ面をさらに備え、前記ランプ面は、収容品物がパック内を上方に移動する場合に、前記収容品物に係合することにより、前記コンパートメントの開口内においてより中央へと前記品物を移動させるように構成されることを特徴とするパック。
【請求項２２】
請求項１に記載のパックであって、前記クレードルに付帯する自動戻り部をさらに備え、前記自動戻り部は、ユーザが前記収容品物を上昇させた後に前記ユーザ把持要素を放した場合に、下方位置へと前記クレードルを自動的に復位させることを特徴とするパック。
【請求項２３】
請求項１に記載のパックであって、前記クレードルは、前記パックの下位面の上方に前記収容品物を懸吊するように構成されることを特徴とするパック。
【発明の詳細な説明】
【技術分野】
【０００１】
本発明の主題は、一般的には、バックパック、デイパック、リュックサック、ナップザック、バイクメッセンジャーバッグ、ならびに、スーツケース、トラベルケース、ダッフルバッグ、およびブリーフケースなどの梱包された品物の他のキャリアなどの着用パックなどのパックに関する。詳細には、本発明の主題は、パック内に収容されることとなるまたは収容された品物の挿入および取出しシステムに関する。
【背景技術】
【０００２】
パックは、長く知られている。それらは、使用者の品物を収納するための１つ以上のコンパートメントを有する。典型的には、コンパートメントは、ジッパー、引き紐システム、スナップファスナー、面ファスナー、その他などの閉鎖システムによって固定される。パックおよび閉鎖システムの設計は、コンパートメントを開き、アクセスすることが徹底的に手動であるといったものである。パックの前部および背部は、互いに倒れ込むこともあり、品物をパックに追加するために、またはすでにパックにある品物をより分けるために手動で分離することを必要とする。そのような努力は、品物を収納するまたは取り出すときに遅延および欲求不満を引き起こす。
【０００３】
現代では、検問所が、空港、裁判所、コンサート会場および他の施設において我々と向かい合う。それらは、待っている列とのペースを保つために素早さが必要とされる場所である。安全検査の過程で品物を取り出し、収納するときの遅延は、特にストレスの多いこともある。着用パックのための先行技術の設計は不利なことに、パック内のコンパートメントへのアクセスの容易さを促進しない。したがって、品物のコンパートメント内への配置およびコンパートメントからの取出しを効率的に可能にする改良されたパックが必要である。
【発明の概要】
【課題を解決するための手段】
【０００４】
本発明の主題は、一般的には、品物を含有するための容積部を規定する本体と、パック内に収容されることとなるまたは収容された品物の挿入および取出しを行うための一体化されたシステムとを有するパックに関する。
【０００５】
いくつかの実施形態では、本発明の主題は、品物を含有するための容積部を規定する本体を備え、本体が高さ、幅、および深さを有するパックに関する。上昇システムが、パックのコンパートメント内に配設され、上昇システムは、（ｉ）コンパートメント内で上下に可動であり、コンパートメント内に収容可能な品物を受けるための支持部分を有して構成されたクレードルと、（ｉｉ）パック上に配設されたユーザ把持要素にクレードルを結合する結合システムを備え、それにより、把持要素を引っ張ることによって、コンパートメント内の下方位置から上げ位置へとクレードルが引き上げられ、クレードルの上昇は、コンパートメント内に包入され得る収容品物がコンパートメントから突き出得るのに十分なものである。
【０００６】
前述のおよび他の実施形態では、コンパートメントは、第１の垂直面、第２の垂直面、および底面を備え得る。各面は、コンパートメントの壁部に位置する。第１の垂直面および第２の垂直面は、離間され、底面から上方に延在する。クレードルは、第１の垂直面に結合された第１の側部と、結合システムに可動的に結合された第２の側部とを有し、クレードルの品物支持部分は、第１の垂直面と第２の垂直面との間に配設される。前述のおよび他の実施形態では、結合システムは、第１の垂直面および／または第２の垂直面に可動的に結合され得る。いくつかの実施形態では、第１の側部は、クレードルがコンパートメント内を上下に移動する方向に対して直交方向に配向された関連壁部との接合部を有し、接合部は、コンパートメントの底部から所定の高さだけ離間される。所定の高さは、少なくとも２５．４ｍｍ（１インチ）、５０．８ｍｍ（２インチ）、７６．２ｍｍ（３インチ）、１０１．６ｍｍ（４インチ）、１２７ｍｍ（５インチ）、１５２．４ｍｍ（６インチ）、またはそれを上回るｍｍ（インチ）であり得る。下げ位置では、クレードルの支持部分は、底面の少なくとも一部分に当接して載置される。しかし、底面の幾分かの距離だけ上方に懸吊することにより、クレードルは、クレードル内に懸丁された物体に衝撃に対する衝撃抵抗を与える。第１の垂直面は、パックの着用者から離れる方向に向くように意図されたパックの側部であり得る。
【０００７】
前述のおよび他の実施形態では、パックは、他の面と共にコンパートメントの完全包入体を形成する開口可能頂面を有し得る。また、パックは、側面または底面においても開口してもよい。パックは、着用パックであり得る。着用パックは、パックの本体に結合された１対のショルダーストラップを有し得る。
【０００８】
前述のおよび他の実施形態では、結合システムは、１つ以上のチャネル内に配設され得る。クレードルは、柔軟な材料であってもよい。ショルダーストラップを備える１対の身体用ストラップが、垂直壁部に結合されてもよい。収容品物を有するコンパートメント用の開口は、パックの主コンパートメント用のものであってもよい。あるいは、開口は、開口は、パックの２次コンパートメント用のものであってもよい。収容品物用のコンパートメントは、ラップトップまたはタブレットコンピュータを保持するように十分にサイズ設定および形状設定され得る。クレードルは、セル状発泡材料などの衝撃を和らげる材料を含み得る。パックは、パックの内側面に付帯するランプ面をさらに備え、ランプ面は、収容品物がパック内を上方に移動する場合に、収容品物に係合することにより、コンパートメントの開口内においてより中央へと品物を移動させるように構成される。パックは、クレードルに付帯する自動戻り部をさらに備え、自動戻り部は、ユーザが収容品物を上昇させた後にユーザ把持要素を放した場合に、下方位置へとクレードルを自動的に復位させる。
【０００９】
いくつかの実施形態では、本発明の主題は、パックを作製する方法に関し、この方法は、物品を含有するための容積部を規定する本体を用意するステップであって、本体が、高さ、幅、および深さ、ならびに本体に結合された少なくとも１つの身体用ストラップを有する、ステップと、パックのコンパートメント内に配設された上昇システムをパックに設けるステップであって、上昇システムが、（ｉ）コンパートメント内で上下に可動であり、コンパートメント内に収容可能な品物を受けるための支持部分を有して構成されたクレードルと、（ｉｉ）パック上に配設されたユーザ把持要素にクレードルを結合する結合システムとを備え、それにより、把持要素を引っ張ることによって、コンパートメント内の下方位置から上げ位置へとクレードルが引き上げられ、クレードルの上昇は、コンパートメント内に包入され得る収容品物がコンパートメントから突き出得るのに十分なものである、ステップとを含む。
【００１０】
これらのおよび他の実施形態が、以下の詳細な説明および図面においてより詳細に説明される。前述のことは、本発明の主題の実施形態および特徴の包括的リストであることを目的としていない。当業者は、図面と併せて下記の詳細な説明から他の実施形態および特徴を理解することができる。以下は、本発明の主題の下における様々な発明類のより詳細な説明である。この文書で最初に提出された、またはその後に補正された、添付の請求項は、あたかも直接書かれているかのようにこの概要部分にこれによって組み込まれる。
【００１１】
添付の図面は、先行技術を示すものであるという記載がない限りは、本発明の主題による実施形態を示す。
【図面の簡単な説明】
【００１２】
【図１】パックの正面図である。
【図２】図１のパックの左背面斜視図である。
【図３】図１のパックの右背面斜視図である。
【図４】図１のパックの開コンパートメントの下方部分の右側面斜視図である。
【図５】品物が下げ位置にあるクレードルシステムに収容された状態の、図５のコンパートメントを示す図である。
【図６】コンパートメントの上部にて図４〜図５のパックを示す図である。
【図７】下方位置から引き上げられた図４〜図６の品物を示す図である。
【図８】図４〜図７のコンパートメントの内部垂直面上のランプを示す図である。
【図９】代替的な実施形態の把持要素が第１の下げ位置にある状態の、パックコンパートメントの左上面斜視図である。
【図１０】把持要素が第２の上げ位置にある状態の、コンパートメントを示す図である。
【図１１】下げ位置にある把持要素に結合されたクレードルシステムを伴う、図９のコンパートメントの左斜視図である。
【図１２】上げ位置にある把持要素に結合されたクレードルシステムを伴う、図９のコンパートメントの左斜視図である。
【発明を実施するための形態】
【００１３】
本発明の主題による代表的実施形態は、図１〜図１２に示され、そこでは同じまたは大体似ている特徴は、共通の参照数字を共有する。
【００１４】
本明細書において説明および図示される詳細、材料、ならびに部品および動作の構成において多数の変更および変形を行うことが可能である点と、かかる変更および変形が本明細書に含まれる教示および特許請求の範囲の趣旨および範囲から逸脱しない点とが、当業者には理解されよう。
【００１５】
本発明の主題は、一般的には、品物を含有するための容積部を規定する本体を有するパックに関する。本体は、高さ、幅、および深さ、ならびにオプションとしてパック本体に結合された少なくとも１つの身体用ストラップを有する。上昇システムが、パックのコンパートメントに付帯する。上昇システムは、（ｉ）コンパートメント内で上下に可動であり、コンパートメント内に収容可能な品物を受けるための支持部分を有して構成されたクレードルと、（ｉｉ）パック上に配設されたユーザ把持要素にクレードルを結合する結合システムとを備える。把持要素を引っ張ることにより、クレードルは、コンパートメント内における下方位置から上げ位置へと引き上げられる。クレードルの上昇は、コンパートメント内に包入され得る収容品物がコンパートメントから突き出得るのに十分なものである。
【００１６】
用語「着用パック」は、本明細書で使用される場合、バックパック、リュックサック、デイパック、ヒップパック、メッセンジャーバッグ、トートバッグおよび１つ以上のショルダーストラップを有する他のパックから成る系統に沿って、ショルダーストラップを有する着用パックを広く指す。「バックパック」は、文脈が特に示さない限り、１対のショルダーストラップを有するパックを意味する。身体保持ストラップまたは他の支持体を介して身体に自己支持しないパックは、着用パックではない。例えば、ハンドルだけを有するスーツケースは、着用できないパックである。
【００１７】
図１〜図８は、この例ではバックパックであるパック１０の１つの可能な実施形態を示す。図示される実施形態は一般に、本発明の主題を例示するために使用されることになるが、本発明の主題は、それらによって限定されるべきでない。パック１０の本体１２は、少なくとも前面１４、背面１６、上面１８、底面２０、ならびに他の表面と相互接続する側面２４および２６の全体的構成を有する。表面の配置は、物品を含有するための１つ以上の容積部、すなわち主コンパートメント３０を規定する。表面１４、１６、１８、２０、２４、および２６の文脈において、用語「表面」は、パック１０の本体１２に組み立てられるときに外に向く側および内に向く側を有する全体的にシート状またはパネル状構造を意味するために広く使用される。表面は、個別の接合部で一緒になる必要はなく、それらは、例えば湾曲する境界面で融合してもよい。典型的には、表面は、編物または織ったもしくは不織の布地の１つ以上の層などの、柔軟な材料で作られるが、しかしパック１０は、プラスチック、ポリマー発泡体、金属、および／または複合物などの、形状を保つ半硬質または硬質材料で全体的にまたは部分的に作られてもよい。
【００１８】
少なくともバックパックの場合には、本体は一般に、それが着用者の背中に快適に適合するようなサイズおよび形状にされる。場合によっては、それは、背中の骨格の輪郭に合致するように輪郭形成されてもよい。一般に、それは、背中の幅、または目的とする着用者の腰部と肩との間の長さをほとんど越えないような寸法にされる。バックパックは、高さの変化、例えば小さい、中間、または大きい高さを受け入れるために異なるサイズおよび形状にされてもよい。またはそれらは、性別または年齢のカテゴリ、例えば男性、女性、または子供に適合するようなサイズおよび形状にされてもよい。
【００１９】
特に、上部側もしくは底部側の表面または両方は基本的に、前面１４および背面１６の上部エッジ、ならびに／または前面１４および背面１６の底部エッジを一緒に融合させ、表面が接合するくさび形（図示せず）を作成することによって全体的にまたは部分的に取り除かれる可能性もある。同様に、表面は、例えば表面を融合させるために曲線を使用することによって横から低減される可能性もある。側面２４および２６はまた、同様の仕方で接合されるまたは融合される可能性もある。表面は、必ずしも連続表面であるとは限らず−例えばジッパー、網状部分、およびコードが、それらを中断してもよい。
【００２０】
典型的には、パック１０の本体１２は、パック１０の内の主コンパートメント３０へのアクセスのための閉鎖可能な開口１を含む。図示される実施形態では、開口１は、主コンパートメント３０へのパック１０の上部におけるアクセスを提供する。開口１は、パック１０の片側または両側の下方へ所望の程度まで延びてもよい。開口１は、連動するオス／メス部品に基づく機構、例えばスナップ、ジッパー、面ファスナー、ボタン、その他などの、閉鎖システム２３ａ、２３ｂによって閉鎖状態に固定されてもよい。
【００２１】
開口１は、パック１０の一部分から別の部分を分離させることにより形成される。図面は、パックの前部１５が背部１７から可動であることを示す。パック１０は、所望の構成でパック１０を支持するのに役立つフレーム要素を有し得る。そのようにすることで、ヒンジ動作可能部分が、閉鎖のために背部により容易に位置合わせされる。フレーム要素は、背部に幾分かの弾性柔軟性を与えるが依然として所望の形状にコンパートメントを概ね保持するために半硬質のものであってもよい。
【００２２】
主コンパートメント３０に加えて、本体１２は、物品を含有するために任意の数の他のコンパートメントを含んでもよい。他のコンパートメントは、主コンパートメント３０または互いに対して左右にまたは上下に隣接して配置されてもよい。そのコンパートメントのいずれかを含む、本体１２はまた、コンパートメントの内側または外側に配置されるポケットを有してもよい。例えば、ポケット（図示せず）はまた、本体１２の前方に配置されてもよい。本明細書で使用される場合、「コンパートメント」は、寝袋、ラップトップ２、衣類、本、その他などのものを保持するための相対的に大きい領域を指す。一般に、「ポケット」は、財布、携帯電話、メディアプレーヤ、水筒、その他などのものを保持するための相対的により小さい領域を指す。しかしながら、パック１０の主コンパートメント３０よりほかは、コンパートメントであるものとポケットであるものとの間に明瞭な分割線が常にあるとは限らない。
【００２３】
図７は、ラップトップ２などの物体を収容するための、主コンパートメント３０から分離された任意の背部側のアクセス可能なコンパートメント３５を示す。図示する実施形態では、コンパートメント３５は、ラップトップまたはタブレットコンピュータなどのほぼ平坦な品物（以降では一括して「デバイス」と呼ぶ）を収容するための専用コンパートメントである。このコンパートメント３５は、例えば一方の側部を途中から上方に、次いで頂部の周囲に、次いで他方の側部を途中まで下方に延在し得る閉鎖システム２３ａ、２３ｂなどによりアクセスされ得る。閉鎖システム２３ａ，２３ｂは、アクセスが確保されかつ容易になるようにストラップから離れて位置する。一般的には、ラップトップまたはタブレットコンピュータ用のコンパートメント３５は、２０ｃｍ（高さ）×１２ｃｍ（幅）×５ｍｍ（深さ）の最小寸法を有するデバイスを収容および包入するサイズを有するように構成されるべきである。ラップトップまたはタブレットの収容コンパートメントは、主コンパートメント３０または任意の他のコンパートメント３５であることが可能であり、本明細書における上昇システム４０の考察は、任意のかかるコンパートメント３５に該当する点を理解されたい。また、上昇システム４０は、デバイスと共にのみならず、他の種類の収容品物と共にやはり使用され得る点を理解されたい。
【００２４】
上昇システム４０が、コンパートメント３５から品物を上昇または下降させるために、パック１０のコンパートメント３５に付帯する。上昇システム４０は、（ｉ）コンパートメント３５の内で上下に可動であり、コンパートメント３５の内に収容可能な品物を受けるための支持部分４２ａを有して構成されたクレードル４２と、（ｉｉ）パック１０の上に配設された把持要素４６にクレードル４２を結合する、左部分４４ａおよび右部分４４ｂを有する結合システム４４とを備える。把持要素４６を引っ張ることにより、クレードル４２は、コンパートメント３５の内における下方位置から上げ位置へと引き上げられる。図７に示すように、クレードル４２の上昇は、コンパートメント３５の内に包入され得る収容品物がコンパートメント３５から突き出得るのに十分なものである。
【００２５】
把持要素４６は、パック１０の内部または外部と、パック１０の任意の部分とに配設され得る。例えば、ユーザは、はじめに、パック１０へのコンパートメント３５を開くことにより開口１の内側部に把持要素４６を見出すことが必要であってもよい。
【００２６】
上昇システム４０が配設されるコンパートメント３５は、第１の垂直面４８、第２の垂直面５０、および底面５２を有する（いずれも内側面である）。第１の垂直面および第２の垂直面は、離間され、底面５２から上方に延在する。クレードル４２は、第１の垂直面４８に結合された第１の側部４２ｂと、結合システム４４に可動的に結合された第２の側部とを有する。しかし、これは一例であり、結合システム４４は、第１の垂直面４８および／または第２の垂直面５０に可動的に結合されてもよい。クレードル４２の支持部分４２ａが、第１の垂直面４８と第２の垂直面５０との間に配設される。
【００２７】
結合システム４４は、把持要素４６まで直接的に通されてもよく、または例えば屈曲または曲げなどを経由して把持要素４６に間接的に通され得る。結合システム４４は、１つ以上の結合要素に基づくものであってもよい。図示する実施形態では、結合要素は、ストラップまたはバンドである。図示する実施形態では、結合システム４４のストラップまたはバンドは、ほぼＵ字形状を有する。Ｕ字のバンドの脚部４４ａ、４４ｂは、パック１０の本体１２に形成されたチャネル５４ａ、５４ｂ内をクレードル４２まで通される。脚部４４ａ，４４ｂは、チャネル５４ａ，５４ｂを上方に通りパック１０の本体１２の穴から出て延在して、融合してＵ字の閉端部を成す。閉端部は、チャネル間に配設された面４５、１４５に当接することによって下方に引っ張られるのを阻止される。閉端部は、把持要素４６としての役割を果たす。これは、把持要素４６が結合システム４４と一体化された構造を有する一例である。代替的には、各脚部４４ａ，４４ｂは、別個の把持要素に連結した別個の材料バンドであることが可能である。脚部４４ａ，４４ｂは、把持要素４６が放された場合にクレードル４２を下方位置に戻すのを支援するために、弾性材料から作製されてもよい。
【００２８】
図９は、代替的な実施形態の把持部が第１の下げ位置にある状態の、パック１０のコンパートメント１３５の左上方斜視図を示す。この例では、把持要素１４６は、コンパートメント１３５の内部に収容されるが、他の点では図１〜図８に示す実施形態とほぼ同様である。図１〜図８の実施形態と同様に、把持要素１４６は、チャネル１５４ａおよび１５４ｂを通り延在してパックの頂部から下方に延在する脚部１４４ａ、１４４ｂを有する。図１０は、把持要素１４６が第２の上げ位置にある状態のコンパートメント１３５を示す。
【００２９】
図１１は、下方位置にある把持要素１４６に結合された上昇システム１４０を伴う、図９のコンパートメント１３５の左斜視図を示す。図１２は、上げ位置にある把持要素１４６に結合されたクレードル１４２を伴う、図１０のコンパートメント１３５の左斜視図を示す。コンパートメント１３５は、クレードル１４２の自由側部を受けるように開いた下方エッジ１５１を有するスリーブ１４９を備える。したがって、クレードル１４２の第１の部分は、パック１０のスリーブ１４９と本体１２との間に上方へと引っ張られ得る。スリーブ１４９の対向側部１５３は、脚部１４４ａおよび１４４ｂがスリーブ１４９の頂部でチャネル１５４ａ、１５４ｂに進入する場合を除いて、閉鎖され、それにより当接面が、クレードル１４２の移動を制限するように設けられる。
【００３０】
図示する実施形態では、コンパートメント３５は、他の面と共にコンパートメント３５の完全包入体を形成する開口可能な頂面を有する。クレードル４２は、柔軟でほぼ平坦な形態である。クレードル４２は、第１の垂直面４８に連結された第１の側部４２ｂを有する。連結線は、クレードル４２がコンパートメント３５の内で上下に移動する方向に対して直交方向に配向された壁部とのヒンジ動作可能な接合部５６である。接合部５６は、コンパートメント３５の底面５２から所定の高さにわたり離間される。いくつかの実施形態では、最下位置において、クレードル４２の支持部分４２ａは、パック１０の底面５２の少なくとも一部分に当接して載置される。他の実施形態では、クレードル４２の支持部分４２ａは、衝撃抵抗のために下位面の上方に収容品物を懸吊するように構成されるまたは調節可能である。いずれの例においても、底面５２からの接合部５６の高さは、収容可能品物がパック１０の底部またはその懸吊された高さから引き上げ可能である高さに相当する。多数の用途に適した高さは、少なくとも２５．４ｍｍ（１インチ）である。他の実施形態では、クレードル４２は、品物を上昇または下降させるためのプラットフォームまたはトレイとしての役割を果たすより硬質の構造体であってもよい。クレードルは、壁部または他の構造体に連結されたエッジを有する必要はない。クレードル４２は、コンパートメント３５の内で上昇または下降する自由要素であることが可能である。例えば、クレードル４２は、各隅部に結合要素を有する矩形トレイであることが可能である。結合システム４４は、同一の把持要素４６または異なる把持要素４６まで通され得る。例えば、１対の対向し合う結合要素が、第１の把持要素に結合され、別の対の対向し合う結合要素が、第２の把持要素に結合され得る。両把持要素を均等に引っ張ることにより、プラットフォームまたはトレイが均等に上昇する。あるいは、一方の把持要素のみを引っ張ることにより、プラットフォームまたはトレイの一方の隅部または側部のみが上昇し得る。
【００３１】
結合システム４４の結合要素は、柔軟なバンド、ストラップ、クレードル４２等に限定されない。結合要素は、機械リンク装置であることも可能である。
【００３２】
いくつかの実施形態では、第１の垂直面４８は、パック１０が着用された場合に着用者の背部から離れる方向に（対接せずに）向くように意図されたパック１０の部分に位置する。接合部５６は、その面上に位置する。クレードル４２の自由エッジ４２ｃは、着用者の背部に向いた（対接した）パック１０の部分に位置する第２の垂直面５０に隣接する。結合システム４４は、自由エッジに結合し、第２の垂直面５０に沿ってパック１０の頂部まで上方に通される。この実施形態では、ショルダーストラップを含む１対の身体用ストラップが、第２の垂直面５０の外側部に結合される。
【００３３】
ラップトップ２またはタブレットコンピュータなどの取扱いのデリケートな品物の衝撃を和らげるために、クレードル４２は、セル層などの衝撃吸収材料から少なくとも部分的に作製されてもよい。上昇システム４０は、クレードル４２がパック１０の底面５２の上に載置されないように構成されてもよい。上昇システム４０は、収容可能品物が、コンパートメント３５の内に包入されている際に衝撃に対して保護されるように底面５２の上方に懸吊されるように上昇され得る。結合システム４４の結合要素は、衝撃を吸収または緩衝するために弾性であってもよい。
【００３４】
パック１０は、ラップトップ２などの収容品物２のコンパートメント３５の開口内への移動を容易にするためにオプションのランプ５８を備えてもよい。図６〜図８を参照すると、第１の垂直面４８などの垂直壁部は、クレードル４２内で上方に引き上げられた場合に収容品物に係合する有角面５８の形態のランプを備えてもよい。ラップトップ２がランプに係合することにより、ランプは、コンパートメント３５の開口内のより中央へと品物を移動させる。
【００３５】
別の任意の特徴は、クレードル４２に付帯する自動戻りシステム６０である。この戻り部は、把持要素４６を介して引き上げられることにより、クレードル４２に対してばね復元力または弾性復元力を加える。把持要素４６が放されると、復元力は、クレードル４２に作用してクレードル４２をその下げ位置に復位させる。図示する実施形態では、自動戻りシステム６０は、一方の端部セットの自由エッジ４２ｃのまたはその付近のクレードル４２の両側部に、および対向側の端部セットのパック１０の底面５２に結合された、２つの弾性バンドまたはストラップ６０ａおよび６０ｂを備える。
【００３６】
また、本発明の主題は、本発明の上昇システム４０を有するパック１０を作製および使用する方法を熟考する。方法は、物品を含有するための容積部を規定する本体を用意することであって、本体１２が、高さ、幅、および深さ、ならびに本体１２に結合された少なくとも１つの身体用ストラップ３６，３８を有する、用意することと、パック１０のコンパートメント３５の内に配設された上昇システム４０を有するパック１０を用意することであって、上昇システム４０が、（ｉ）コンパートメント３５の内で上下に可動であり、コンパートメント３５の内に収容可能な品物を受けるための支持部分４２ａを有して構成されたクレードル４２と、（ｉｉ）パック１０の上に配設されたユーザ把持要素にクレードル４２を結合する結合システム４４と、を備え、それにより、把持要素４６を引っ張ることによって、コンパートメント３５の内の下方位置から上げ位置へとクレードル４２が引き上げられ、クレードル４２の上昇は、コンパートメント３５の内に包入され得る収容品物がコンパートメント３５から突き出得るのに十分なものである、用意することとであってもよい。かかるパック１０では、コンパートメント３５は、第１の垂直面４８、第２の垂直面５０、および底面５２を有してもよく、第１の垂直面４８および第２の垂直面５０は、離間され、底面５２から上方に延在し、クレードル４２は、第１の垂直面４８に結合された第１の側部４２ｂと、結合システム４４に可動的に結合された第２の側部とを有し、クレードル４２の支持部分４２ａは、第１の垂直面４８と第２の垂直面５０との間に配設され、結合システムは、第２の垂直面５０に可動的に結合され、開口可能な頂面が、他の面と共に、コンパートメント３５の完全包入体を形成する。かかるパック１０では、クレードル４２の第１の側部は、クレードル４２がコンパートメント３５の内で上下に移動する方向に対して直交方向に配向された壁部と接合状態にあってもよく、この接合部５６は、コンパートメント３５の底面５２から所定の高さにわたり離間される。
【００３７】
パック１０に結合された身体用ストラップシステムは、本体に連結された別個の品物か、または例えばパック１０の本体１２と一体形態を成して織られる、編まれる、もしくは成形された、本体１２と一体化された構造体であってもよい。ストラップシステムは、従来のバックパックで知られているように、１対のショルダーストラップであってもよく、または、例えばバイクメッセンジャーバッグの場合に知られているように、着用者の片方の肩の上から着用者の胸部を横切って肩の反対側の腕の下へと適合するように構成される長い単一ストラップであってもよい。本明細書で使用される場合、「ストラップ」は、柔軟で、目の粗い、帯状の構造体だけでなく、また本明細書で述べられる目的のための機能性を提供する個々のフィラメントまたはフィラメントの束、鎖、コード、ケーブル、その他をも指すように意図されている。ストラップは、弾性または非弾性構成を有してもよい。それはまた、弾性部分および非弾性部分の構成を有してもよい。図に示されるバックパックは、１つ以上のショルダーストラップ、示される例ではストラップ３６および３８を含む。ショルダーストラップシステムは、材料の単層ストラップに基づいてもよくまたはそれらは、より重い荷物を運ぶためのより高性能のバックパックで知られているように、材料の複合物とすることができる。しばしば、着用者の身体に重みがかかるショルダーストラップの部分は、パッド付きもしくは衝撃を和らげる材料または構成を使用して作られる。例えば、それは、ポリウレタン、成形または切断ＥＶＡ発砲体（エチレン酢酸ビニール）、ナイロンなどの布帛によって囲まれたまたはそれに接合されたパッド付きメッシュ−ナイロンまたはポリエステルスペーサメッシュとしてしばしば知られている−などの、セル状発泡材料の複合物であってもよい。
【００３８】
着用者の身体でパック１０の本体を運ぶためのショルダーストラップに加えて、またはその代わりに、パック１０はオプションとして、ハンドルまたはグリップ２２を含んでもよい。
【００３９】
パック１０の本体１２は、薄く、柔軟な材料の１つ以上の層で構成されてもよい。本体に使用するための典型的な柔軟な材料は、天然材料および合成材料、ナイロン布帛、ポリエステル布帛、天然もしくは合成ゴムまたは材料のゴム状層、動物の皮（例えば、革）、綿、帆布、麻、羊毛、ならびに混紡布帛を含む。これらの材料は、単独でまたは互いに組み合わせて使用されてもよい。本体は、ナイロン平織りもしくはあや織り布帛などの連続表面または網目もしくはクモの巣状の構造などの穴のあいた表面を有する材料を使用して形成されてもよい。
【００４０】
フレーム要素は、柔軟な材料または他の本体形成材料を層間に組み込むまたは材料の外面または内面に貼り付けることによってそれらと関連付けられてもよい。さらに、パック１０のパネルまたは一部は、剛性または半剛性構造体を提供するために硬質材料で一体的に成形されるまたはさもなければ形成されてもよい。
【００４１】
任意の特定の例に関連して上で述べられる原理は、他の例の任意の１つ以上と関連して述べられる原理と組み合わされてもよい。それに応じて、この詳細な説明は、限定する意味で解釈されるものではなく、この開示の概観に続いて、当業者は、本明細書で述べられる様々な概念を使用して考案されてもよい多種多様なシステムを理解するであろう。その上、当業者は、本明細書で開示される例示的実施形態が、開示される原理から逸脱することなく様々な構成に適合されてもよいことを理解するであろう。
【００４２】
本明細書で使用される場合、文脈が特に示さない限り、「結合」（および単語の様々な変化）は、物理的に接続される個別の品物であるまたは統合されたもしくは一体化の構造として物理的に形成される異なる機能の部品または部分を意味する。
【００４３】
開示される実施形態の前の説明は、当業者なら誰でも開示される革新技術を作るまたは使用することを可能にするために提供される。それらの実施形態への様々な変更は、当業者に容易に明らかとなり、本明細書で規定される一般的原理は、この開示の趣旨または範囲から逸脱することなく他の実施形態に適用されてもよい。それ故に、特許請求される発明は、本明細書で示される実施形態に限定されることを目的としておらず、請求項の言語と一致する全範囲を与えられるべきであり、物品の使用などによる、単数形「ａ」または「ａｎ」での要素への言及は、具体的にそう述べない限り、「唯一の」を意味せず、むしろ「１つ以上」を意味することを目的としている。
【００４４】
当業者に知られているまたは後で知られることになる、本開示全体にわたって述べられる様々な実施形態の要素に対するすべての構造的および機能的等価物は、本明細書で述べられ、特許請求される特徴によって包含されることを目的としている。その上、本明細書で開示されるものは何も、そのような開示が請求項で明確に列挙されるかどうかにかかわらず、公衆にささげられることを目的としていない。請求項要素は、要素が語句「のための手段」または「のためのステップ」を使用して明確に列挙されない限り、米国特許法の下で「手段プラス機能」請求項と解釈されるべきでない。
【００４５】
本発明は、次に来る請求項の趣旨および範囲内に来るすべての請求権を含み、本明細書で開示される主題に対するすべての権利を保有する。
【符号の説明】
【００４６】
１  開口、２  ラップトップ、１０  パック、１２  本体、１４  前面、１６  背面、１８  頂面、２０  底面、２２  ハンドル、２３ａ，２３ｂ  閉鎖システム、２４，２６  側面、３０  主コンパートメント、３５  コンパートメント、３６，３８  ストラップ、４０  上昇システム、４２，１４２  クレードル、４２ａ  支持部分、４２ｂ  第１の側部、４２ｃ  自由エッジ、４４  結合システム、４４ａ，４４ｂ，１４４ａ，１４４ｂ  脚部、４５，１４５  面、４６，１４６  把持要素、４８  第１の垂直面、５０  第２の垂直面、５２  底面、５４ａ，５４ｂ，１５４ａ，１５４ｂ  チャネル、５６  接合部、５８  ランプ、６０  自動戻りシステム、６０ａ，６０ｂ  弾性バンドまたはストラップ、１４９  スリーブ、１５１  下方エッジ、１５３  対向側部。
【図１】
2017000705.tif 000003
【図２】
2017000705.tif 000004
【図３】
2017000705.tif 000005
【図４】
2017000705.tif 000006
【図５】
2017000705.tif 000007
【図６】
2017000705.tif 000008
【図７】
2017000705.tif 000009
【図８】
2017000705.tif 000010
【図９】
2017000705.tif 000011
【図１０】
2017000705.tif 000012
【図１１】
2017000705.tif 000013
【図１２】
2017000705.tif 000014